(57)【特許請求の範囲】
【請求項１】
出し入れ自在のハンドル（７）及び内側が凹となるように湾曲したベースプレート（２）を有し、該プレートは、該出し入れ自在のハンドル（７）のロッド（１）の少なくとも一つの入れ子式ハウジング（１０）の基部と一体となるように構成され、前記ベースプレート（２）は、湾曲部に開口（８、８’）を有し、該開口は、突出したキャスター（５）を受けいれるように構成された柔軟な材料の壁からなるリュックサックにおいて、
前記入れ子式ハウジングの上端部（１０）は、入れ子式ハウジングに対して垂直の面をなすように伸びる柔軟な材料の支持プレート（３）と接続され、
前記ベースプレートと入れ子式のハウジング（１０）は、リュックサックの前壁に隣接するようにリュックサックの内部に配設され、
背中と接触するストラップ（３１）が配設された面は、入れ子式ハウジング（１０）に隣接する面に対向するように構成されていることを特徴とするリュックサック。
【請求項２】
前記下方のベースプレート（２）が、出し入れ自在のハンドル（７）のロッド（１）の入れ子式ハウジング（１０）の基部から伸びる一又はそれ以上の湾曲した延長部（１１）と上下繋がった状態に形成されていることを特徴とする請求項１記載のリュックサック。
【請求項３】
前記プレート（２）が半硬質であり、該プレートの湾曲は該プレートが入れ子式ハウジング（１０）の基部から伸びる少なくとも一つの湾曲した延長部（１１）と上下繋がった状態に押し付け形成されることによってあたえられものである請求項２記載のリュックサック。
【請求項４】
前記ベースプレート（２）が硬質の成型プレートであり、前記入れ子式ハウジング（１０）の下端が、前記ベースプレート（２）の立ち上がり部に直線的に結合されていることを特徴とする請求項１記載のリュックサック。
【請求項５】
前記入れ子式ハウジングの下端と相対するベースプレートの縁部が、ユーザーの背中の横断側面に対応した凹んで湾曲した水平面を有することを特徴とする請求項１記載のリュックサック。
【請求項６】
前記ベースプレートの縁部により表されたリムに適合するパッドが配置されていることを特徴とする請求項５記載のリュックサック。
【請求項７】
入れ子式ハウジングの上部先端部が、柔軟材料からなる垂直支持プレートに取り付けられていることを特徴とする請求項１記載のリュックサック。
【請求項８】
入れ子式ハウジングに隣接する正面壁の境界を定めると共に硬化している逆Ｕ字状の金属部材（５０）によって補強された縁部を有し、
該縁部がリュックサックの側壁の下方縁部を構成すると共に内側に湾曲させるために前記金属部材の枝部を越えて広がるように構成されていることを特徴とする請求項１記載のリュックサック。
【請求項９】
前記キャスターが、入れ子式ハウジングに隣接するベースプレート（２）の下方角部を構成するアーチにより支持されており、該アーチが前記縁部の湾曲部分を内部に収容していることを特徴とする請求項８記載のリュックサック。
【請求項１０】
前記支持プレート及び湾曲したベースプレートの外側が柔軟材料で覆われていることを特徴とする請求項１記載のリュックサック。
【請求項１１】
前記湾曲したプレートが柔軟材料で覆われていないことを特徴とする請求項１記載のリュックサック。
【請求項１２】
前記出し入れ自在のハンドルのハウジングに隣接する壁の上縁から部分的に下方に伸びる補強プレートが備えられており、該補強プレートがブラケットによって前記支持プレートと上下繋がった状態に形成されていることを特徴とする請求項１記載のリュックサック。
【請求項１３】
前記支持プレートが、前記出し入れ自在のハンドルのハウジングに隣接する壁の上縁から部分的に下方に伸びる分岐部の一つで、鉄製アングル部材で構成されていることを特徴とする請求項１記載のリュックサック。
【請求項１４】
全体が直方体状に構成されていることを特徴とする請求項１記載のリュックサック。
【請求項１５】
形状がほぼ長方形の箱状で、前記入れ子式ハウジングに隣接する壁に相対向する後壁を有し、該後壁は三つの側部に配設されたジップ・ファスナーシステムによって折りたたみ自在に構成され、キャビン・スーツケースとして使用するのに適するようその周囲に沿って配設された金属の保持リングによって剛性が付与されていることを特徴とする請求項１記載のリュックサック。
【請求項１６】
形状がほぼ長方形の箱状であり、前記入れ子式ハウジングに隣接する前記前壁を区切る逆U字状の金属部材を備えた縁部を有すことを特徴とする請求項１記載のリュックサック。
【発明の詳細な説明】
【０００１】
本発明は、剛性で出し入れ自在のハンドルを有し、キャスター上で引かれるのに適した手荷物用袋に関する。より詳しくは、本発明は、リュックサックに関するものである。
【０００２】
キャスター及び出し入れ自在のハンドルを備えたリュックサックは、すでに数種類のものが知られている。柔軟な材料の壁を備えたこの種の手荷物用袋は、長年、きわめて実用性が高いことが実証され、また売上げも着実に伸びている。この種の手荷物用袋は、スーツケース用に構成された転がりシステムに適応する袋部から成り立っており、その結果、比較的重くて扱いにくい袋物となっている。
【０００３】
「トローリー」式の転がり可能なスーツケースに端を発するこの種のスーツケース或いはリュックサックは、公知である。これは、入れ子式（いわゆる「トローリー」式）客室用スーツケースをリュックサックに適用したものである。したがって、従来の最新式キャスター付きリュックサックと呼ばれるものは、通常二本の滑動する管で形成されており、背面に沿って配置された出し入れ自在のハンドルを有する。背面に沿って配置されるということは、使用者の背中に接触するように構成されていることを意味する。このような配置は、ハンドルの入れ子システムが剛性であるため、快適性に欠ける。背中がこの硬い縦方向の部品と直接接触するのを避けるためには、大きな当てものの追加が必要となる。
【０００４】
さらに、転がりシステムは、当初スーツケースの上に取り付けられるように発明されたものであるが、重くて扱いにくく、不釣合いである。リュックサックは、スーツケースが配置されるべきところに載置される。キャスターは、外側の前記後面の基部に配置されために、手荷物用袋がリュックサックとして使用されると、それまでこれらのキャスターは歩道やごみ、さらにおそらくは犬の糞と接触していたため、使用者の背中の衣類を汚すことになる。キャスターの収納に適したフラップも、一時しのぎに過ぎない。なぜなら、再びキャスターを使用するとフラップも汚れ、露出したフラップが使用者と接触するからである。
したがって、この転がり式手荷物用袋の実用性および快適性を高め、しかも剛性を損なわずに重量を軽減したリュックサックが求められている。
本発明は、上述した不具合をなくし、使用に際しての快適性及び軽量性を高めることを目的とするものである。本発明は、リュックサックを転がりシステムに適用させるのではなく、逆に後者をリュックサックの形状および利用に適用させるものである。
【０００５】
この目的を達成するため、本発明は、柔軟な材料例えば織物製の壁を備えたリュックサックにおいて、シャフトを滑動させることによって引き込み自在となるハンドル及び内側に湾曲したベースプレートを有し、半硬質の該プレートの湾曲は、該プレートを滑動式ハンドルの手荷物内部の入れ子式ハウジングの基部から伸びる湾曲した形状のセグメントと例えば鋲止めによって一体化させることによって得られるリュックサックを提供するものである。半硬質のプレートは、例えばポリエチレンなどのプラスチックのプレートとすることができ、その厚さは、１〜５mmとすることができる。
【０００６】
柔軟な材料の手荷物用袋の壁は、好ましくは、ほぼ直方体形状の手荷物用袋を形成するように用いられる。
一本のロッドのハンドル（取っ手）の代わりに、二つの平行なハウジング内で滑動する二本のロッドからなる入れ子式Ｕ字状のハンドルを用いることもできる。各ハウジングは、一本のロッドを有する手荷物用袋の場合と同様、湾曲した下方のベースプレート及び上方プレートとワンピース（上下連続するよう）に形成される。
【０００７】
一変形例にあっては、ベースプレートは、例えばABSまたはポリプロピレン製などのより剛性の成形プレートとすることができる。その場合には、最初から湾曲したベースプレートが使用いられる。この場合、入れ子式ハウジングの基部は、必ずしも湾曲させたり平坦化させる必要はなく、該ベースプレートの立ち上がった部分（例、フランジ）に硬くて剛性なアタッチメント手段が配設される場合は、まっすぐなものとすることができる。
【０００８】
半硬質のプレートの場合には、とくに側部では、その湾曲は、前記プレートの湾曲部から突出する二つの側部車軸支持用アーチ状部材によって得られる。
入れ子式ハンドルシステムは、背中と接触する面すなわちリュックサックとして使用するためのストラップが配設された面とは反対側の面に隣接し、かつその内側に配設される。これにより、快適性が改善される。
好ましくは、入れ子式ハウジングの基部に対向する下方のベースプレートの縁部は、凹面に湾曲した水平部分を有する。この部分が背中と接触すると、背中の横方向の輪郭にさらに合った形状となり、使用者の快適性を高め、背中と接触する面に配設された保護用クッションの不用意な磨耗を防ぐことができる。
【０００９】
さらに、縦方向に割れた発泡外装の形状をなすものなど、前記縁部で形成されるリムに適応したパッドを配設することもできる。
出し入れ自在な取っ手のシャフトは、断面が正方形、長方形又は多角形のアルミニウム製等の中空の管とすることができるが、また、Ｕ字状のハンドル（取っ手）を使用することもでき、その場合、断面は円形となる。いずれにせよ、該シャフトは、とくに手荷物のサイズが小さい場合、剛性のハウジング内を公知の方法で滑動する単一又は二つの入れ子式管で構成することが好ましい。
【００１０】
本発明の重要な一側面にあっては、柔軟な材料（例、織物）のための支持プレートが配設される。この支持プレートは、ベースプレートと同じ性質をもつことが好ましいが必ずしもその必要はない。また、該支持プレートは、入れ子式ハンドルのハウジングの上端に該ハウジングに対して垂直に配置される。この支持プレートは、例えばそのためにハウジング上に配設された締め付けヨークなどのアタッチメント手段によって保持される。この支持プレートの大きさは、好ましい一実施形態にあっては、ハウジングの上端を取り囲む柔軟な材料の一部のみが保持できるように変えることができる。この支持プレートは、スーツケースの底部全体にわたって伸びていないことがとくに好ましい。
したがって、上面は、従来の型のハンドル用の好ましいアタッチメントとして役立つような独立の補助プレートを有することができる。実際、従来から、入れ子式ハンドルに加えて、一又は複数の面に縫い付けられたり鋲止めされた追加の取っ手を配設することが可能である。
【００１１】
柔軟な材料のリュックサックの縦方向の剛性は、基本的には、転がりシステム、湾曲したプレート及び入れ子式システムによって確保される。したがって、本発明は、その剛構造部分が基本的にL字形或いは鉄アングル（山形継目板）の形状をなすような手荷物用袋を提供する。このような形状であるため、横方向の上部プレートの表面積は比較的小さくなり、側面及び上面の一部を内側に折りたため、積んでおくのに好都合となる。
一実施形態にあっては、上に述べたリュックサックの開口手段は、上面から各側面に伸びるジップ・ファスナーであり、リュックサックが開かれると、上部プレートによって支持された柔軟な材料が、支持されない柔軟な材料部分から分離される構成となっている。
一変形例にあっては、面の一つは、その周囲の三つの側面にそってジップ・ファスナーを有し、それによって、この面が折りたためる構成とされる。
折りたためる面又はその一部は、一又は数個のポケット及び／または数個の補助仕切りを有することができる。
【００１２】
寸法の大きいリュックサックの場合には、ハンドルの入れ子式システムに隣接する面の一部に伸び、ブラケットに取り付けることによって上部プレートの上下繋がった状態に一体化される縦方向の補強材を配設することが好ましい。一変形例にあっては、一体式の鉄アングル材を配設することができる。その場合には、ブラケットの必要はない。
【００１３】
本発明の他の一実施形態にあっては、入れ子システムに隣接する面の上縁部及び二つの側縁部をまたぐ逆Ｕ字状の金属の保持リングが配設される。この保持リングは、柔軟な縁飾りの中に入れられて一体化され、該縁飾りのU字の枝部の先端部は、湾曲して二つの下方縁部を形成する構成とされる。
さらに他の一実施形態にあっては、上に述べた型の手荷物は、ストラップを有せず、したがって、一又は二の入れ子式ロッドを備えた転がりキャビン式スーツケースが形成される。このスーツケースは、類似の他の型のスーツケースにあっては空のときにスプリング効果を示す剛性の高い保持リング・フレームによって画定される側面がないことを特徴とする。
【００１４】
この場合には、入れ子システムに対向する面は、その周囲の三側部にジップ・ファスナーを有することが好ましく、それによって、この面を折りたたむことが可能となる。開口部は、金属製などの縁飾りによって囲まれる。
さらに、この場合には、リュックサックに関してすでに述べたような、横方向の上方プレートならびに入れ子システムに隣接する面を補強するＵ字状の保持リングに対して垂直な補助支持プレートを使用することが好ましい。
【００１５】
本発明にもとづく手荷物用袋の仕切りの内壁に、織物の裏張りをして、ベースプレート及び入れ子式ハウジングを隠すことが好ましい点は容易に理解されよう。
本発明は、好ましい実施形態を示す添付の図面を参照し、以下の説明を行なうことによってよりよく理解されよう。
【００１６】
以上の各図を通じて、同一又は機能的に等価の要素は、同じ参照番号で示す。
図１は、本発明に基づくリュックサックの剛構造を示す部分展開斜視図である。図にはロッド或いはシャフト１及び金属製ハウジング１０が示されており、好ましくはアルミニウム製で断面が正方形又は長方形の二重入れ子式の管或いはシャフト１が金属製ハウジング１０内を滑動する。ハウジングの下部１１は、湾曲したセグメントとして伸びており、ポリエチレンなどの半硬質のベースプレート２と鋲止めによって上下繋がった状態に形成されている。入れ子式ハウジングの延長であるこの湾曲した部分は、好ましくは平坦にすることができ、実際、断面が正方形又は長方形の中空部分の端部を平坦化することによって得られる。ベースプレート２は、アーチ状部材５上に配設されたキャスターを受けるための二つの開口８を有し、該アーチ状部材５は、プレート２に鋲止めすることによって外側に上下繋がった状態に形成することができる。したがって、これらのアーチは、その全幅にわたって均質な湾曲を形成するのに役立つ。図には、キャスターと反対側の脚部６も示されている。
【００１７】
プレートのリム１２の輪郭も、同じく湾曲状にし、スーツケースがリュックサックとして使用されるときに背中の輪郭によく適合可能なことは理解されよう。さらに、該リムは、縦方向に割れた保護外装１４で覆われている。
ハウジング１０の上部には、ベースプレートと同じ性質の支持プレート３が配設され、締め付けヨーク４などの取り付け手段によってしっかり保持されている。この支持プレートは、使用者の背中の上部又は頚部との接触を避けるために、スーツケースの厚み方向の全長にわたっては伸びていないことが好ましい。図には、同じくプレート状の縦方向の補強材１５も示されているが、この補強材は、中間ブラケット９に取り付けることによって支持プレート３と上下繋がった状態となる。
【００１８】
図２は、出し入れ自在のハンドルに隣接する壁の側からみたリュックサックの斜視図である。入れ子機構は、リュックサック内部にある。
前部仕切り２１及びジップ・ファスナー２３が示されている。後者は二つの側面及び上面にわたって伸びており、後壁を折りたたむことによって主仕切り２４へのアクセスが可能となる。三つの縦方向の壁の基部では、柔軟な材料が、好ましくは表面がざらざらしたPVCなどのプラスチック製の第二の材料２５で覆われている。これにより、側面２６の基部は、柔軟性が軽減され、摩滅しにくくなり、洗濯が容易となる。キャスターのアーチ２８は、入れ子システムを有しまたベースプレートの湾曲した縁部に沿った縁飾り２２を保護するための湾曲したフランジ２９を有する面の下隅部に配置されている。図示しない内部支持プレートは、ジッパー２３まで伸びており、従来式のハンドル３０のための支持として役立っている。
【００１９】
図３は、図２と同様なリュックサックを、出し入れ自在なハンドルに隣接する壁と対向する側から見た図である。ストラップ３１が示されているが、これらのストラップ３１は取り付けバックル３２で部分的に引き離すことができ、そのために配設されたポケット３３の中に挿入することができる。さらに、使用者の背中の下部をさらに保護するためのクッション３４が配設されている。ハンドル３０は、折りたたみ可能で入れ子システムに隣接する面と対向する面を有する部分の上に取り付けられており、このハンドルに隣接する柔軟な材料は、図示しない小さなプレートによって内側で補強されている。
【００２０】
図４は、図２及び３に示すリュックサックの変形例で、比較的寸法の大きい手荷物に適用できるものである。入れ子式ハンドル７は、二つの二重入れ子式ロッド１、１’を有する。さらに、このハンドル７は、袋部のすぐ内側へ引き込めることができ、ジップ・ファスナーを有するフラップ４０で覆われている。
【００２１】
図５ａは、ストラップも背中用クッションもない本発明の変形例を示している。この場合の手荷物用袋は、背中で背負うシステムを備えたキャビン用スーツケースである。前部パネル４７は、金属の保持リングによって剛性を維持され、図３の外されたストラップを入れるのに適したポケット３３に対応するポケット３３’を有する。
【００２２】
上述した諸要素に加えて、取り外し自在の肩ストラップ用の肩ストラップ取り付けリング４１、４１’、ハウジング（図示せず）の上端に取り付けられた支持プレート４３止め、プレート２（図示せず）及び織物の下に配設された補強プレート４５上の側部ハンドル４４とは独立の補強プレート上の上方ハンドル３０、ならびに折りたたむことのできるスーツケースの大きな前面４７の周囲で輪になっている金属の縁飾り４６（金属の保持リング）が図示されている。入れ子システムに隣接する面は、補助収納用仕切り５０を有する。
【００２３】
この変形例は、リュックサック同様に縁飾り２２を配設することができる。この縁飾りは図５ｂに示すように金属要素５０を有するが、この金属要素５０は、入れ子システムに隣接する面の三つの縁部にわたって伸びる逆Ｕ字状の剛性付与のための保持リングを形成する。この保持リング５０は、好ましくは、柔軟な縁飾りの中に一体化される。該柔軟な縁飾りは、端部がＵ字状の枝部を越えて伸びさらにフランジ２９によって保護されたアーチ８の内部で湾曲して二つの側下方稜部５１を形成している。
【００２４】
図５ｂには、入れ子システムに隣接する面の三つの縁部にわたって伸びる縁飾り２２及び金属の補強材５０のアセンブリが示されている。
図５ｃは、要素５０がアセンブリに挿入される縁飾り２２の輪郭を示す拡大斜視図である。
図５ｄは、スーツケースの基部の分解図である。二つの開口８を有しまた図示しない入れ子式ハウジングの平坦化され湾曲した端部１１と上下繋がった状態を形成する湾曲したプレート２、脚部６及びプレート２の外側に取り付けられる構成でプレートの湾曲と合った保護フランジ２９を有し、また該脚部に対向するスーツケースの二つの下隅部を形成する二つのアーチ５が示されている。
【図面の簡単な説明】
【図１】  本発明にかかるリュックサックの内部構造を示す図である。
【図２】  本発明にかかる完全なリュックサックの正面斜視図である。
【図３】  本発明にかかるリュックサックの背面図である。
【図４】  Ｕ字状のハンドルを有するリュックサックの変形例である。
【図５ａ】  リュックサックではない手荷物用袋に適用された本発明の変形例を示す図である。
【図５ｂ】  リュックサックではない手荷物用袋に適用された本発明の変形例を示す図である。
【図５ｃ】  アセンブリに挿入される縁飾りの輪郭を示す拡大斜視図である。
【図５ｄ】  スーツケースの基部の分解図である。
【図１】
0004558204.tif 000002
【図２】
0004558204.tif 000003
【図３】
0004558204.tif 000004
【図４】
0004558204.tif 000005
【図５ａ】
0004558204.tif 000006
【図５ｂ】
0004558204.tif 000007
【図５ｃ】
0004558204.tif 000008
【図５ｄ】
0004558204.tif 000009